(57)【要約】      （修正有）【課題】電源を接続すれば自動的に動作することができ、しかも連続的に使用しても何ら不都合が発生せず、幼児などのいたずらにも対処ができ、さらに、テレビ用アンテナケーブルのＦ型コネクタも接続できるアンテナ接続端子を備えた緊急地震速報受信装置を提供する。【解決手段】ケース１の内部に制御用のメイン基板とＦＭ放送受信用ＦＭ受信基板が備えられた緊急地震速報受信装置において、ケース１の上面には、受信周波数を設定する操作スイッチ１６、受信周波数を表示する液晶表示部と、出力の音量を調整するボリューム１９と、赤色ＬＥＤ表示灯１４と、青色ＬＥＤ表示灯１５が取付けられた操作パネル３が配置され、この操作パネル３の上面は開閉式のパネルカバー４で覆われる構成とした。【選択図】図１
0003158685.tif 000002
【実用新案登録請求の範囲】
【請求項１】
ケースの内部に制御用のメイン基板とＦＭ放送受信用ＦＭ受信基板が備えられた緊急地震速報受信装置において、
前記ケースの上面には、受信周波数を設定する操作スイッチおよびセットスイッチと、受信周波数を表示する液晶表示部と、出力の音量を調整するボリュームおよび回転ロック機構と、緊急状態を表示する赤色ＬＥＤ表示灯と、装置の動作状態を表示する青色ＬＥＤ表示灯が取付けられた操作パネルが配置され、
前記操作パネルの上面は開閉式のパネルカバーで覆われていることを特徴とする緊急地震速報受信装置。
【請求項２】
前記ケースの側面にはアンテナ接続端子が取付けられ、前記アンテナ接続端子は専用のロッドアンテナおよびアンテナケーブルのＦ型コネクタに接続可能に形成され、
前記ケースの背面には壁取付板を介して壁に取付けるための係止穴が形成されていることを特徴とする請求項１に記載の緊急地震速報受信装置。
【請求項３】
前記ボリュームには、ボリュームの回転を機械的にロックするロック機構が取付けられ、
前記ロック機構は、ボリュームツマミ裏側に形成された回転歯車と、前記回転歯車に係合するロック片と、からなることを特徴とする請求項１に記載の緊急地震速報受信装置。
【請求項４】
前記メイン基板は、前記ＦＭ受信部に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、
が備えられていることを特徴とする請求項１に記載の緊急地震速報受信装置。
【請求項５】
前記緊急地震速報検出部は、前記緊急地震速報信号に含まれるマーク信号およびスペース信号を識別し、復調された信号を２値化する２値化手段と、
前記２値化手段が２値化した信号と、前記マーク信号と同じ周波数を有する周期信号との相互相関をとるマーク信号に関する相互相関手段と、
前記２値化手段が２値化した信号と、前記スペース信号と同じ周波数を有する周期信号との相互相関をとるスペース信号に関する相互相関手段と、
前記マーク信号に関する相互相関手段の出力信号の２乗値と、前記スペース信号に関する相互相関手段の出力信号の２乗値とを比較する比較手段と、
前記比較手段により比較した信号から緊急地震速報信号を検出する検出手段と、
が備えられたことを特徴とする請求項４に記載の緊急地震速報受信装置。
【考案の詳細な説明】
【技術分野】
【０００１】
本考案は、大地震発生時に送信される緊急地震速報の信号を受信して警報を発する緊急地震速報受信装置に関する。
【背景技術】
【０００２】
近年、大規模地震やこの種の緊急地震速報受信装置は、電源コードを介して商用電源コンセントに接続され、常時商用電源から給電されて受信状態になっており、緊急警報信号を受信した場合に商用電源と付属のコンセントの間に介装されたスイッチ回路をオン状態に切り替えて、付属のコンセントに接続されたラジオ受信機やテレビジョン受信機を自動的に立ち上げて警報信号を発したり、画面に表示したりしている。特に最近は、大地震が発生した場合に、伝達速度が速く揺れの小さなＰ波を感知し、揺れの大きいＳ波が到達する直前に当該地域の放送局が緊急地震速報信号を放送し、当該地域の住民がこの放送を緊急地震速報受信装置で聞くことにより、大きな揺れに備えようとする試みがなされるようになった。この種の緊急地震速報信号を受信する装置として、特許文献１に示すような緊急警報受信機があった。
【０００３】
この緊急警報受信機は、緊急警報信号を受信する緊急警報受信回路と、放送信号を受信する放送受信回路と、上記緊急警報信号と上記放送信号とを含む信号が入力され、当該信号を選択して出力する切り替えスイッチと、上記切り替えスイッチは、上記緊急警報受信回路が上記緊急警報信号を受信したした場合は、上記放送信号から上記緊急警報信号に切り替えることを特徴とするものである。
【先行技術文献】
【特許文献】
【０００４】
【特許文献１】特開２００８-１６０７８９号公報
【考案の概要】
【考案が解決しようとする課題】
【０００５】
しかしながら、特許文献１に示す緊急警報受信機にあっては、通常は、ラジオとして使用するものであるから、使用時は受信機として動作していても不使用時は受信機として動作しておらず、この間に緊急警報の放送があった場合は受信できないという問題があった。そのため、無理に連続使用した場合には深夜などは音量を絞っても音がうるさく、消費電力も多くなるという不都合も発生した。また、この緊急警報受信機はラジオとして使用するため、操作に便利なように、スイッチやボリューム類は前面若しくは上面に取付けられているので、幼児などがいたずらし易く、一度設定したものをいじってしまい、緊急警報の放送があっても聞くことができない場合が発生する惧れもあった。
【０００６】
さらに、据置型として使用する場合においては、一般家庭やオフィス、事業所などで使用される場合が多く、その場合は既に集中タイプのテレビ用アンテナを敷設している場合が多いので、テレビ用アンテナをそのまま使用したいという要求があった。しかしながら、このテレビ用アンテナケーブルのＦ型コネクタに接続できるアンテナ接続端子を備えたこの種の装置は見られなかった。
【０００７】
本考案は前述した従来の問題点鑑みなされたものであり、電源を接続すれば自動的に動作することができ、しかも、連続的に使用しても何ら不都合が発生せず、幼児などのいたずらにも対処ができ、さらに、テレビ用アンテナケーブルのＦ型コネクタも接続可能なアンテナ接続端子を備えた緊急地震速報受信装置を提供するものである。
【課題を解決するための手段】
【０００８】
上記課題を解決するため、請求項１の考案にあっては、ケースの内部に制御用のメイン基板とＦＭ放送受信用ＦＭ受信基板が備えられた緊急地震速報受信装置において、前記ケースの上面には、受信周波数を設定する操作スイッチおよびセットスイッチと、受信周波数を表示する液晶表示部と、出力の音量を調整するボリュームおよび回転ロック機構と、緊急状態を表示する赤色ＬＥＤ表示灯と、装置の動作状態を表示する青色ＬＥＤ表示灯が取付けられた操作パネルが配置され、前記操作パネルの上面は開閉式のパネルカバーで覆われていることを特徴とするものである。
【０００９】
また、請求項２の考案にあっては、前記ケースの側面にはアンテナ接続端子が取付けられ、前記アンテナ接続端子は専用のロッドアンテナおよびアンテナケーブルのＦ型コネクタに接続可能に形成され、前記ケースの背面には壁取付板を介して壁に取付けるための係止穴が形成されていることを特徴としている。
【００１０】
また、請求項３の考案にあっては、前記ボリュームには、ボリュームの回転を機械的にロックするロック機構が取付けられ、前記ロック機構は、ボリュームツマミ裏側に形成された回転歯車と、前記回転歯車に係合するロック片と、からなることを特徴としている。
【００１１】
また、請求項４の考案にあっては、前記メイン基板は、前記ＦＭ受信部に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、が備えられていることを特徴としている。
【００１２】
また、請求項５の考案にあっては、前記緊急地震速報検出部は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値と、前記スペース信号に関する相互相関手段の出力信号の２乗値とを比較する比較手段と、前記比較手段により比較した信号から緊急地震速報信号を検出する検出手段と、が備えられたことを特徴とするものである。
【考案の効果】
【００１３】
本考案によれば、電源を接続するだけで自動的に動作することができ、しかも連続して使用しても消費電力も僅かであり、幼児などが簡単にいじれないので安心して使用でき、消費電力も僅かであり、受信機能を単一化することにより極めてその処理が早く、しかも性能を損なうことない緊急地震速報受信装置を提供できるものである。
【図面の簡単な説明】
【００１４】
【図１】本考案に係る緊急地震速報受信装置を示す斜視図である。
【図２】図１の緊急地震速報受信装置のパネルカバーの開閉動作を示す斜視図である。
【図３】図１の緊急地震速報受信装置のボリュームのロック機構を説明する説明図で、アンロック状態を示す図ある。
【図４】図１の緊急地震速報受信装置のボリュームのロック機構を説明する説明図で、ロック状態を示す図ある。
【図５】図１の緊急地震速報受信装置の壁取付けを示す説明図である。
【図６】図１の緊急地震速報受信装置の構成を示すブロック図である。
【図７】図１の緊急地震速報受信装置の緊急地震速報検出部の構成を示すブロック図である。
【図８】図１の緊急地震速報受信装置の動作を示すフローチャートである。
【考案を実施するための形態】
【００１５】
以下、本考案の実施形態を添付図面に基づいて説明する。図１は本考案に係る緊急地震速報受信装置を斜視図あり、この緊急地震速報受信装置はケース１内に、後述するメイン基板１０とＦＭ受信基板２０が収納されている。この緊急地震速報受信装置のケース１は、プラスチック材料などから有底箱状に形成され、コーナー部分は面取り加工がなされている。このケース１の上面には、図示上左側にスピーカ２用の複数の小孔２ａ，２ａ，２ａ・・・が設けられ、この内側にスピーカ２が取付けられている。
【００１６】
また、ケース１上面の右側は、スピーカ２の取付面より一段と低く形成されて操作パネル３が取付けられている。この操作パネル３にはＬＥＤの赤色表示灯１４、青色表示灯１５、受信周波数設定用の操作スイッチ１６、受信周波数表示用の液晶表示部１７、音声出力調整用のボリューム１９など操作部材が取付けられている。さらに、この操作パネル３の上には、これらの操作部材を保護するために透明または半透明のパネルカバー４が開閉可能に取付けられている。
【００１７】
このパネルカバー４の開閉機構は公知の構造であるが、単純にパネルカバー４が回動開閉するものではなく、図２（ａ）のように、パネルカバー４を一旦手前側に引いた後、図２（ｂ）のように、パネルカバー４の先端部４ａを上に回動すると開くようになっている。このパネルカバー４を閉めた後は、前記操作部材に触ることができないので、幼児などが簡単に開閉して、誤って設定を狂わす可能性がなくなるものである。
【００１８】
また、このパネルカバー４と共に設定を保護する機構として、ボリューム１９の回転をロックするロック機構が備えられている。このロック機構について図３、図４を参照して説明する。図３は操作パネル３を裏側から見た図である。同図において、ボリュームツマミ１９ａの裏側には同軸の回転歯車１９ｂが形成されており、この回転歯車１９ｂの回転周辺部に進退可能にロック片１９ｃが配設されている。このロック片１９ｃは、図３に示すように、後退位置では回転歯車１９ｂに噛合しないので、ボリュームツマミ１９ａはアンロック状態となっている。この状態でボリュームツマミ１９ａを任意の位置に回転させ、所定の音量レベルに設定するものである。
【００１９】
次に、図４に示すように、ロック片１９ｃを前方に押し出すと、ロック片１９ｃと回転歯車１９ｂが噛合してロック状態となる。このロック片１９ｃのロック状態とアンロック状態の切換えは、ロック片１９ｃに形成された１個の突起１９ｄと、このロック片１９ｃをガイドするガイド片に形成された係合突起１９ｅの係合によって行われる。即ち、ロック片１９ｃの突起１９ｄが係合突起１９ｅの後方（図３の拡大図参照）で係合すればアンロック状態が保持され、ロック片１９ｃの突起１９ｄが係合突起１９ｅの前方（図４の拡大図参照）で係合すればロック状態が保持されるものである。このロック機構により、ボリューム１９の設定が飛躍的に安定するものである。
【００２０】
さらに、本考案の緊急地震速報受信装置においては、ケース１の左側面に、ロッドアンテナ６やテレビアンテナケーブルが接続できるアンテナ接続端子５が取付けられている。このアンテナ接続端子５は、通常の場合は、専用のロッドアンテナ６を接続できるようになっているが、ロッドアンテナ６の他に、一般家庭や事業所などでよく使用されているＴＶ用ＶＨＦアンテナケーブルのＦ型コネクタも接続できるような公知の接続端子が使用されている。また、このケース１の左側面には、外部音声出力機器へ接続できるように、公知の外部出力端子７が取付けられている。さらに、このケース１の右側面には電源となるＡＣアダプタが接続されるコネクタ（不図示）が取付けられている。
【００２１】
また、この緊急地震速報受信装置は、図５に示すように、壁取付板８を介して壁などの垂直面にも取付けできるようになっている。そのため、壁取付板８にはケース１を係止用するため３個のフック８ａ，８ａ，８ａが形成されており、この３個のフックに対応してケース１の裏側には３個の係止穴９，９，９が形成されている。そして、壁取付板８には壁などに図示しないネジなどで固定するため４箇所の取付穴８ｂ、８ｂ、８ｂ、８ｂが形成されている。
【００２２】
このように構成された緊急地震速報受信装置を壁などに掛けて使用する場合は、先ず、壁取付板８を所定の場所にネジなどで固定し、この壁取付板８のフック８ａにケース１の係止穴９を引っ掛けるものである。このように壁掛けで使用すると、場所をとらず使い勝手が向上するものである。
【００２３】
また、メイン基板１０は、図６に示すように、ＦＭ受信部２１に接続され受信したＦＭ放送より緊急地震速報信号を検出する緊急地震速報検出部１１と、緊急地震速報検出部１１に接続され緊急地震速報信号を受信した場合に装置全体の動作を制御するＣＰＵ１２と、このＣＰＵ１２に接続され緊急地震速報信号を増幅してスピーカ２を駆動する出力アンプ１３と、前記緊急地震速報検出部１１に接続され緊急地震速報信号を受信した場合に赤色に点灯する赤色ＬＥＤ表示灯１４と、を備えている。
【００２４】
また、このメイン基板１０には、ＦＭ放送を受信した場合に、受信中であることを青色の点灯で知らせる青色ＬＥＤ表示灯１５がＣＰＵ１２に接続されており、同様にＣＰＵ１２に接続されてＦＭ放送の受信局を選択するための操作スイッチ１６が取付けられており、この操作スイッチ１６のアップキー１６ａとダウンキー１６ｂにより所望の放送局を選択できるようになっている。そして、その周波数は液晶表示部１７に表示されるものである。この選択した周波数はセットボタン１６ｃでＣＰＵ１２に記憶されるものである。さらに、ボリューム１９は、緊急地震速報信号を受信した場合に出力アンプ１３より大音量の音声を出力するため、予め音声信号増幅回路１８の増幅レベルを設定するものである。なお、ボリューム１９には、レベル設定をした後は、不用意に動かないようにロック機構が取付けられている。
【００２５】
また、このメイン基板１０に接続されているＦＭ受信基板には、ＦＭ受信部２１を備えている。このＦＭ受信部２１は公知の回路で構成されたもので、アンテナ６で受信したＦＭ電波を高周波増幅するＲＦ回路、ＲＦ回路で増幅した高周波を中間周波数に変換するミキサー回路、中間周波数を増幅するＩＦ回路、中間周波数より音声信号に変換するための復調回路などを備えたものである。
【００２６】
また、このメイン基板１０の緊急地震速報検出部１１は、前記ＦＭ受信部２１で受信したＦＭ信号より緊急地震速報信号を検出するものである。この緊急地震速報検出部１１は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値または絶対値と前記スペース信号に関する相互相関手段の出力信号の２乗値または絶対値とを比較する比較手段と、前記比較手段により比較した信号から緊急地震速報信号を検出する検出手段と、を備えたものである。
【００２７】
即ち、この緊急地震速報検出部１１は、図７に示すように、前記ＦＭ受信部２１で復調した音声信号をバンドパスフィルタ１１０を通すことにより必要な周波数成分のみに帯域制限し、この信号を２値化手段である＋−比較器１１１でデジタル信号に変換し、このデジタル信号をマーク信号に関する相互相関手段であるマーク信号検出回路１２０と、スペース信号に関する相互相関手段であるスペース信号検出回路１３０に入力するものである。
【００２８】
マーク信号検出回路１２０は、発信器１２１によりマーク信号周波数（１０２４［Ｈｚ］）の正弦波、余弦波、または矩形波、およびそれを９０度（π/２）移相器１２２を通して出力した９０度位相の異なる正弦波、余弦波、または矩形波をそれぞれ乗算器１２３、１２４により＋−比較器１１１の出力と乗算し、さらにそれぞれ１シンボル分加算器１２５、１２６により１シンボル期間（１/６４［ｓｅｃ］＝１５．６２５［ｍｓｅｃ］）加算することで相互関係をとり、１シンボル分加算器１２５、１２６の出力をそれぞれの２乗回路１２７、１２８でそれぞれ２乗し、それらを加算器１２９で加算するものである。なお、加算器１２５、１２６は１/２シンボル（１/１２８［ｓｅｃ］＝７．８１２５［ｍｓｅｃ］）でもよい。
【００２９】
同様に、スペース信号検出回路１３０は、発信器１３１によりスペース信号周波数（６４０［Ｈｚ］）の正弦波、余弦波、または矩形波、およびそれを９０度（π/２）移相器１３２を通して出力した９０度位相の異なる正弦波、余弦波、または矩形波をそれぞれ乗算器１３３、１３４により＋−比較器１１１の出力と乗算し、さらにそれぞれ１シンボル分加算器１３５、１３６により１シンボル期間（１/６４［ｓｅｃ］＝１５．６２５［ｍｓｅｃ］）加算することで相互関係をとり、１シンボル分加算器１２５、１２６の出力をそれぞれの２乗回路１３７、１３８でそれぞれ２乗し、それらを加算器１３９で加算するものである。
【００３０】
これらマーク信号検出回路１２０の加算器１２９により加算された信号と、スペース信号検出回路１３０の加算器１３９で加算された信号を比較器１４０で比較することにより２値信号を得る。そして、この２値信号を６４［ｂｉｔ/ｓ］符号検出器１４１に入力して緊急地震速報信号の符号パターンと比較照合することにより、緊急地震速報信号を検出するものである。
【００３１】
このようにして、緊急地震速報検出部１１で緊急地震速報信号を検出した場合には、ＦＭ受信部２１で受信された放送信号はＣＰＵ１２の制御作用により音声信号増幅回路１８を経由して増幅された音声信号が出力アンプ１３に出力されるので、スピーカ２より大音量で警告音が発生される。
【００３２】
つぎに、上述のように構成された緊急地震速報受信装置の受信動作を図８に基づいて説明する。
まず、緊急地震速報受信装置に電源となるＡＣアダプタを接続し、ＡＣアダプタのプラグを図示しないコンセントに差し込む。すると、緊急地震速報受信装置は自動的に作動状態となり（ステップＳ１）、青色表示灯５が点滅する。（ステップＳ２）。
【００３３】
次いで、ステップＳ３において、受信局の選定を行う。受信局の選定を行うためには、図２に示すように、パネルカバー４を開いて操作スイッチ１６を操作する。この操作スイッチ１６は、アップボタン１６ａとダウンボタン１６ｂ、およびセットボタン１６ｃから構成されている。このアップボタン１６ａとダウンボタン１６ｂを操作して、放送局の周波数を表示する液晶表示部１７を見ながら所望の放送局に合わせる。そして、ステップＳ４にて、アンテナ３の位置を調整することにより受信状態が良好な位置、即ち青色ＬＥＤ表示灯１５が点灯状態となる位置に固定する。また、この時にボリューム１９のロック機構を解除して、適宜の音量にセットし、ロックを行う。次いで、セットボタン１６ｃを押すことによりステップＳ５の待機状態となる。
【００３４】
この待機状態においては、緊急地震速報検出部１１はＦＭ受信部２１からの音声信号を前述したマーク信号周波数とスペース信号周波数でサンプリングを行うことにより監視を実行するものであり、ＣＰＵ１２はこの状態で出力アンプ１３をディセーブル動作状態にコントロールすることにより、無音状態とする。この待機状態では、消費電力も装置全体で僅か０．８Ｗしか消費しないので、出願時点における電気代に換算しても約８．６円（１ヶ月当たり）にしかならず、待機状態における消費電力は問題となるレベルではない。
【００３５】
次に、この待機状態において、緊急地震速報が受信されると、ステップＳ６に移る。このステップ６においては、緊急地震速報検出部１１が緊急地震速報信号を検出し、即座に赤色ＬＥＤ表示灯１４点灯させる（ステップＳ７）。そして、この赤色ＬＥＤ表示灯１４の点灯を１分間継続する。また、緊急地震速報検出部１１は緊急地震速報信号を検出するとＣＰＵ１２にもその信号を割り込み情報として送る。するとＣＰＵ１２は、この割り込み情報により、出力アンプ１３をイネーブル動作とし、音声増幅回路１８からの緊急地震速報信号の警告音を拡声してスピーカ２より流すものである（ステップＳ８）。
【００３６】
次いで、ステップＳ９に移り、ステップＳ７におけるＬＥＤ点灯とステップＳ８のスピーカよりの警告音が１分間続いたかどうかのチェックが行われる。この条件をクリアすればステップＳ１０の待機状態に移り、条件を満足しない場合は、それぞれステップＳ７またはステップＳ８にもどり、それぞれの動作を繰り返すものである。
【００３７】
本考案の緊急地震速報受信装置は上述のように構成されたので、電源を接続するだけで自動的に動作することができ、しかも連続して使用しても何ら不都合が発生せず、安心して使用でき、受信機能を単一化することにより極めてその処理が早く、しかも性能を損なうことない緊急地震速報受信装置とすることができるものである。
【符号の説明】
【００３８】
１はケース
２はスピーカ
３は操作パネル
４はパネルカバー
５はアンテナ接続端子
６はロッドアンテナ
７は外部出力端子
８壁取付板
９係止穴
１０はメイン基板
１１は緊急地震速報検出部
１２はＣＰＵ
１３は出力アンプ
１４は赤色ＬＥＤ表示灯
１５は青色ＬＥＤ表示灯
１６は操作スイッチ
１７は液晶表示部
１８は音声信号増幅回路
１９はボリューム
２０はＦＭ受信基板
２１はＦＭ受信部
１２０はマーク信号検出回路
１３０はスペース信号検出回路
１４０は比較器
【図１】
0003158685.tif 000003
【図２】
0003158685.tif 000004
【図３】
0003158685.tif 000005
【図４】
0003158685.tif 000006
【図５】
0003158685.tif 000007
【図６】
0003158685.tif 000008
【図７】
0003158685.tif 000009
【図８】
0003158685.tif 000010
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
ケースの内部に制御用のメイン基板とＦＭ放送受信用ＦＭ受信基板が備えられた緊急地震速報受信装置において、
前記ケースの上面には、受信周波数を設定する操作スイッチおよびセットスイッチと、受信周波数を表示する液晶表示部と、出力の音量を調整するボリュームおよび回転ロック機構と、緊急状態を表示する赤色ＬＥＤ表示灯と、装置の動作状態を表示する青色ＬＥＤ表示灯が取付けられた操作パネルが配置され、
前記操作パネルの上面は開閉式のパネルカバーで覆われていることを特徴とする緊急地震速報受信装置。
【請求項２】
前記ケースの側面にはアンテナ接続端子が取付けられ、前記アンテナ接続端子は専用のロッドアンテナおよびアンテナケーブルのＦ型コネクタに接続可能に形成され、
前記ケースの背面には壁取付板を介して壁に取付けるための係止穴が形成されていることを特徴とする請求項１に記載の緊急地震速報受信装置。
【請求項３】
前記ボリュームには、ボリュームの回転を機械的にロックするロック機構が取付けられ、
前記ロック機構は、ボリュームツマミ裏側に形成された回転歯車と、前記回転歯車に係合するロック片と、からなることを特徴とする請求項１に記載の緊急地震速報受信装置。
【請求項４】
前記メイン基板は、前記ＦＭ受信基板に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、が備えられていることを特徴とする請求項１に記載の緊急地震速報受信装置。
【請求項５】
前記緊急地震速報検出部は、前記緊急地震速報信号に含まれるマーク信号およびスペース信号を識別し、復調された信号を２値化する２値化手段と、
前記２値化手段が２値化した信号と、前記マーク信号と同じ周波数を有する周期信号との相互相関をとるマーク信号に関する相互相関手段と、
前記２値化手段が２値化した信号と、前記スペース信号と同じ周波数を有する周期信号との相互相関をとるスペース信号に関する相互相関手段と、
前記マーク信号に関する相互相関手段の出力信号の２乗値と、前記スペース信号に関する相互相関手段の出力信号の２乗値とを比較する比較手段と、前記比較手段により比較した信号から緊急地震速報信号を検出する検出手段と、が備えられたことを特徴とする請求項４に記載の緊急地震速報受信装置。
【手続補正２】
【補正対象書類名】明細書
【補正対象項目名】００１１
【補正方法】変更
【補正の内容】
【００１１】
また、請求項４の考案にあっては、前記メイン基板は、前記ＦＭ受信基板に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、が備えられていることを特徴としている。
【手続補正３】
【補正対象書類名】明細書
【補正対象項目名】００２５
【補正方法】変更
【補正の内容】
【００２５】
また、このメイン基板１０に接続されているＦＭ受信基板２０には、ＦＭ受信部２１を備えている。このＦＭ受信部２１は公知の回路で構成されたもので、アンテナ６で受信したＦＭ電波を高周波増幅するＲＦ回路、ＲＦ回路で増幅した高周波を中間周波数に変換するミキサー回路、中間周波数を増幅するＩＦ回路、中間周波数より音声信号に変換するための復調回路などを備えたものである。